(57)【特許請求の範囲】
【請求項１】
傾斜する屋根の開口部に配置される採光屋根の排水構造であって、
屋根の傾斜と略同一の傾斜を有する採光面と、屋根の傾斜方向に略直交するように配置される連結面とを有する少なくとも２つの第一採光部材と、
前記連結面の下方に配置される樋部材であって、屋根の傾斜方向に略直交する方向に沿って傾斜する排水経路を備える樋部材と、
前記樋部材の下方に配置される第二採光部材であって、前記排水経路の傾斜方向に傾斜する採光面を有する第二採光部材と、
を有することを特徴とする排水構造。
【請求項２】
前記樋部材の上面は、前記第一採光部材に対向し、かつ屋根の傾斜方向に略平行であり、前記上面の反対に位置する前記樋部材の底面は、前記排水経路の傾斜方向に略平行である請求項１に記載の排水構造。
【請求項３】
前記樋部材は、
前記連結面に近接して配置される支持部と、
前記支持部の長手方向の一方の側部に配置される第一排水経路と、
前記支持部の前記長手方向の他方の側部に配置され、前記第一排水経路の傾斜と同一の傾斜を有する第二排水経路部と、
を備える請求項１又は２に記載の排水構造。
【発明の詳細な説明】
【技術分野】
【０００１】
本発明は、採光屋根の排水構造に関し、特に、屋根の採光用開口部に中空合成樹脂板を張設してなる採光屋根の排水構造に関する。
【背景技術】
【０００２】
金属製の折板屋根に採光性を持たせるために、その一部に一定幅の採光用開口部を設けて、開口部にポリカーボネイト樹脂やアクリル樹脂等の透明樹脂からなる採光板を張設することにより採光屋根を構成することが知られている。
【０００３】
また、金属製の折板屋根に採光性を持たせるために、その一部に一定幅の採光用開口部を設けて、開口部に、金属製の折板屋根の長手方向に沿って複数の中空合成樹脂板を組み合わせて張設することにより採光屋根を構成することが知られている（例えば、特許文献１参照）。
【０００４】
さらにまた、結露水又は連結面を止水する止水シール材の劣化などにより採光屋根の内部に流入する雨水などの浸入水が屋内に落下することを防止するために、採光屋根内部に折板屋根の傾斜方向と直交する方向に樋を設置することが知られる（例えば、特許文献２参照）。
【先行技術文献】
【特許文献】
【０００５】
【特許文献１】特開２００６−２４１８０４号公報
【特許文献２】実開昭６１−３２３２６号公報
【発明の概要】
【発明が解決しようとする課題】
【０００６】
しかしながら、従来技術では、採光屋根の採光面が折板屋根の傾斜と異なる方向に傾斜するため、採光屋根の美観が低下するという問題があった。また、折板屋根の傾斜方向と直交する方向に傾斜する採光部材を支持する支持部が、採光部材を傾斜させるために左右非対称の構造になり、左右の支持部で異なる部材が必要となり、コストアップの要因になるという問題があった。
【０００７】
そこで、本発明は、採光面が折板屋根の傾斜と略平行に配置される採光屋根の排水構造を提供することを目的とする。
【課題を解決するための手段】
【０００８】
上記課題を解決するために、本発明に係る排水構造は、傾斜する屋根の開口部に配置される採光屋根の排水構造であって、
屋根の傾斜と略同一の傾斜を有する採光面と、屋根の傾斜方向に略直交するように配置される連結面とを有する少なくとも２つの第一採光部材と、
前記連結面の下方に配置される樋部材であって、屋根の傾斜方向に略直交する方向に沿って傾斜する排水経路を備える樋部材と、
を有することを特徴とする。
【０００９】
また、本発明に係る排水構造では、前記樋部材の上面は、前記第一採光部材に対向し、かつ屋根の傾斜方向に略平行であり、前記上面の反対に位置する前記樋部材の底面は、前記排水経路の傾斜方向に略平行であることが好ましい。
【００１０】
さらに、本発明に係る排水構造では、前記樋部材は、
前記連結面に近接して配置される支持部と、
前記支持部の長手方向の一方の側部に配置される第一排水経路と、
前記支持部の前記長手方向の他方の側部に配置され、前記第一排水経路の傾斜と同一の傾斜を有する第二排水経路部と、
を備えることが好ましい。
【００１１】
さらに、本発明に係る排水構造では、前記樋部材の下方に配置される第二採光部材であって、前記排水経路の傾斜方向に傾斜する採光面を有する第二採光部材をさらに有することが好ましい。
【発明の効果】
【００１２】
本発明によれば、屋根の傾斜方向に略直交する方向に沿って傾斜する排水経路を備える樋部材を採用するので、採光面が屋根の傾斜と略平行に配置される採光屋根を提供することが可能となった。
【図面の簡単な説明】
【００１３】
【図１】本発明に係る排水構造を有する採光屋根の外観の一例を示す図である。
【図２】図１のＡＡ´断面図である。
【図３】図１の部分透視図である。
【図４】（ａ）は採光屋根で利用される樋部材の平面図であり、（ｂ）は対応した側面図であり、（ｃ）は対応した正面図である。
【図５】（ａ）は図１のＣＣ´部分断面図であり、（ｂ）は図１のＤＤ´部分断面図であり、（ｃ）は図１のＥＥ´部分断面図であり、（ｄ）は図１のＦＦ´部分断面図である。
【図６（ａ）】図５（ａ）の分解斜視図である。
【図６（ｂ）】図５（ｄ）の分解斜視図である。
【図７】採光屋根の組み立て手順を説明するための図（１）。
【図８】採光屋根の組み立て手順を説明するための図（２）。
【図９】採光屋根の組み立て手順を説明するための図（３）。
【図１０】採光屋根の組み立て手順を説明するための図（４）。
【図１１】採光屋根の組み立て手順を説明するための図（５）。
【図１２】採光屋根の組み立て手順を説明するための図（６）。
【図１３】採光屋根の組み立て手順を説明するための図（７）。
【図１４】（ａ）は採光屋根の組み立て手順を説明するための図（８）であり、（ｂ）はサイドカバーの側面図である。
【図１５】採光屋根の組み立て手順を説明するための図（９）。
【図１６】採光屋根の組み立て手順を説明するための図（１０）。
【図１７】採光屋根の組み立て手順を説明するための図（１１）。
【図１８】（ａ）は採光屋根で利用される樋部材の他の例の平面図であり、（ｂ）は対応した側面図である。
【発明を実施するための形態】
【００１４】
以下、本発明に係る採光屋根の排水構造を、図面を参照しながら説明する。但し、本発明は以下に説明される実施形態に限定されず、特許請求の範囲に記載された発明とその均等物に及ぶ点に留意されたい。
【００１５】
また、本発明の開示において提供される図面は、本発明の説明を意図したものであり、適当な縮尺を示すことを意図したものではないことを理解すべきである。また、それぞれの図面において、同一又は類似する機能を有する構成要素には、同一又は類似する符号が付される。したがって、先に説明した構成要素と同一又は類似する機能を有する構成要素に関しては、改めて説明をしないことがある。
【００１６】
以下、図１〜１８を参照して、本発明に係る排水構造について説明する。図１は、本発明に係る排水構造を有する採光屋根１０の外観の一例を示す図である。
【００１７】
図１に示すように、採光屋根１０が、屋根構造のもや２及び３上に固定された金属製の折板屋根１上に配置される。金属製の折板屋根１は、水上側にある屋根の頂上部から水下側に所定の角度を持って傾斜するように配置される。したがって、ここでは、図中右上側が水上側であり、図中左下側が水下側である。採光屋根１０は、押し縁２８、シール材及び止水パッキンなどの連結部材により連結される連結面をそれぞれ備える２枚の第一採光部材８０及び８１を有する。第一採光部材８０及び８１は、建物の屋外の太陽光などの外光を採光する採光面が金属製の折板屋根１と同一の傾斜を有し、かつ第一採光部材８０及び８１を連結するそれぞれの連結面が金属製の折板屋根１の傾斜方向に直交するように配置される。第一採光部材８０及び８１は、建物の屋外の太陽光などの外光を採光する部材であり、かつ不燃性の部材である。例えば、第一採光部材８０及び８１は、網入りガラスにしてもよい。
【００１８】
図２は、図１のＡＡ´断面図である。
【００１９】
図２に示すように、第一採光部材８１の一端は、コーナーサポート４３と、サイドカバー４５によって挟み込まれ、他端は、コーナーサポート４４と、サイドカバー４６によって挟み込まれるように支持される。コーナーサポート４３及び側面板４１は第一縦材１５に固定され、コーナーサポート４４及び側面板４０は第二縦材１６に固定されている。コーナーサポート４３及び４４の外側にはそれぞれ、サイドカバー４５及び４６（図１４（ｂ）を参照のこと）が配置され、コーナーサポート４３及び４４の側面及び上面をそれぞれ覆うように配置される。
【００２０】
第一採光部材８０及び８１を連結する連結部の下方には、樋部材２６が近接して配置される。樋部材２６の両端はそれぞれ、ビス９５及び９６によりコーナーサポート４３及び４４に固定される。樋部材２６の上面は、第一採光部材８１に対向し、かつ第一採光部材の採光面に平行である。また、上面の反対に位置する樋部材２６の底面は、コーナーサポート４３に支持される一端からコーナーサポート４４に支持される他端へ傾斜する。この傾斜は、樋部材２６の排水経路の傾斜と平行である。したがって、樋部材２６の排水経路に流入した侵入水は、排水経路の傾斜によってコーナーサポート４４に導水される。次いで、コーナーサポート４４に排水された侵入水は、コーナーサポート４４に形成される排水孔（不図示）から採光屋根１０の外部に排水される。また、侵入水は、コーナーサポート４４内をその傾斜に沿って水下側へ流下し、採光屋根１０の水下側に配置される吹き込み防止板３０（図９を参照のこと）と水下カバー３５（図１７を参照のこと）との間からも外部に排水される。
【００２１】
図３を参照して、第一採光部材８０及び８１の連結面の下方の配置される樋部材２６の設置状態について説明する。図３は、図１の矢印Ｂの方向から見た採光屋根１０の部分透視図である。
【００２２】
図３に示すように、樋部材２６は、第一採光部材８０及び８１に対向し、かつ屋根の傾斜方向に平行である上面と、上面の反対に位置する２つの底面とを有する。この底面により形成される２つの排水経路は、屋根の傾斜方向に直交する方向に沿って傾斜する。より具体的には、２つの排水経路屋根は、水下側から見て左手から右手に向けて傾斜する。この傾斜によって、樋部材２６の排水経路に流入した侵入水は、樋部材２６の右手に配置されるコーナーサポート４４に導水される。
【００２３】
再び図２を参照すると、樋部材２６のさらに下方には、採光屋根１０の断熱効果を向上させ、かつ侵入水が屋内に落下することを防止するために、第二採光部材６０、６１及び６２が水上側から順に配置される。図２では、このうち中央に配置される第二採光部材６１のみ記載される。
【００２４】
第二採光部材６１は、採光面が排水経路の傾斜方向に傾斜するように配置される。このような構成により、樋部材２６の排水経路をオーバフローした侵入水など第二採光部材６１の採光面上に到達した侵入水は、樋部材２６の排水経路に流入した侵入水と同様に、コーナーサポート４４に導水される。次いで、侵入水は、コーナーサポート４４から採光屋根１０の外部に排水される。
【００２５】
第二採光部材６１のさらに下方に位置する結合部材２４は、後に詳細に説明するように３つの第二採光部材６０、６１及び６２をそれぞれ結合する部材であり、コーナーサポート４３及び４４にそれぞれ形成される切欠きに嵌合される。結合部材２４をコーナーサポート４３及び４４にそれぞれ形成される切欠きに嵌合することで、第２採光部材６０、６１及び６２の屋根１の傾斜方向に対するズレを容易に防止することができる。
【００２６】
以下、樋部材２６、第二採光部材６１及び結合部材２４について、図４（ａ）〜図４（ｃ）、図５（ａ）〜図５（ｄ）並びに図６（ａ）及び図６（ｂ）を、図２とともに適宜参照して、順に説明する。
【００２７】
図４（ａ）は、樋部材２６の平面図であり、図４（ｂ）は矢印Ｇの方向から見た樋部材２６の側面図であり、図４（ｃ）は矢印Ｈの方向から見た樋部材２６の正面図である。また、図５（ａ）は図１のＣＣ´部分断面図であり、図５（ｂ）は図１のＤＤ´部分断面図であり、図５（ｃ）は図１のＥＥ´部分断面図であり、図５（ｄ）は図１のＦＦ´部分断面図である。さらに、図６（ａ）は図５（ａ）の分解斜視図であり、図６（ｂ）は図５（ｄ）の分解斜視図である。
【００２８】
まず、樋部材２６について説明する。図４（ａ）〜４（ｃ）に示すように、樋部材２６は、支持部２６ａと、支持部２６ａの長手方向の一方の側部に配置される第一排水経路２６ｂと、支持部２６ａの長手方向の他方の側部に配置され、第一排水経路２６ｂの傾斜と同一の傾斜を有する第二排水経路部２６ｃとを備える。樋部材２６の支持部２６ａには、孔２６ｄ〜２６ｇが形成される。孔２６ｄ及び２６ｅは、図２に示すように、樋部材２６をビス９５及び９６によりコーナーサポート４３及び４４に固定するように形成される。また、孔２６ｆ及び２６ｇは、図５（ａ）及び５（ｂ）に示すように、押し縁２８とともにボルト９０及びナット９１で第一採光部材８０及び８１を挟持するように形成される。なお、孔２６ｆ及び２６ｇには、ボルト９０の頭の周り止めのための周り止め用の凸部が併せて形成される。
【００２９】
ここで図２を再び参照すると、樋部材２６の上面に位置する支持部２６ａは採光屋根１０において第一採光部材８１と平行に配置されるため、支持部２６ａの長手方向は第一採光部材８１の採光面と平行になる。また、樋部材２６の底面と平行である第一排水経路２６ｂ及び第二排水経路部２６ｃは、長手方向に沿って所定の角度を持って傾斜する。このため、浸入水は、第一排水経路２６ｂ又は第二排水経路部２６ｃを介して、コーナーサポート４４に導水される。導水された侵入水は、コーナーサポート４４に形成される孔（不図示）を介して、サイドカバー４６と第二縦材１６との間を通って採光屋根１０の外部に排水される。本実施形態では、第一排水経路２６ｂ及び第二排水経路部２６ｃの傾斜角は、１／７２程度である。しかしながら、第一排水経路２６ｂ及び第二排水経路部２６ｃの傾斜角は、この角度に限定されることはなく、侵入水をコーナーサポート４４に導水することが可能であればよい。例えば、排水経路の傾斜角の範囲は、１／１００〜３／１００であることが好ましい。
【００３０】
再び図４を参照すると、樋部材２６は、第一排水経路２６ｂ及び第二排水経路部２６ｃそれぞれの導水出口側の端部に突起部２６ｈ及び２６ｉを有する。突起部２６ｈ及び２６ｉは、樋部材２６の下方に近接して配置される第二採光部材６１を固定する機能を有する。図２に示すように、第二採光部材６１は、第一排水経路２６ｂ及び第二排水経路部２６ｃの傾斜方向と同一方向に傾斜するため、第二採光部材６１が傾斜方向にずれるおそれがある。このため、突起部２６ｈ及び２６ｉによって、第二採光部材６１が傾斜方向にずれることを防止する必要がある。
【００３１】
次に、図５（ａ）及び５（ｂ）並び図６（ａ）を参照して、第一採光部材８０及び８１を連結する連結部について説明する。第一採光部材８０及び８１を連結する連結部は、押し縁２８と、樋部材２６と、ボルト９０及びナット９１と、パッキン１００と、止水シール材１０２とにより構成される。図５（ａ）及び図６（ａ）に示される様に、第一採光部材８０及び第二採光部材８１は、押し縁２８と樋部材２６との間に、挟み込まれるように配置される。また、第一採光部材８０及び第二採光部材８１は、ボルト９０−１と、押し縁２８の上側に配置されるナット９１−１によって、押し縁２８と樋部材２６とにより固定される。さらに、押し縁２８と第一採光部材８０及び第二採光部材８１との間にはパッキン１００ａ及び１００ｂがそれぞれ配置され、第一採光部材８０及び第二採光部材８１と、樋部材２６の支持部２６ａとの間には、パッキン１００ｃ及び１００ｄがそれぞれ配置されている。さらに、第一採光部材８０及び８１の互いに対向するそれぞれの連結面の間には止水シール材１０２が配置される。
【００３２】
このように、本実施形態では、止水シール材１０２の真下に樋部材２６の支持部２６ａが配置される。このような構成を採用することにより、注入当初は非固形物である止水シール材１０２を第一採光部材８０及び８１の間に注入するときに止水シール材が流出することを防止できる。このため、本実施形態では、止水シール材を注入する工程が容易になる。また、本実施形態では、ボルト９０を貫通させるための孔は、侵入水を導水する樋部材２６の排水経路ではなく、侵入水を導水する経路ではない樋部材２６の支持部２６ａに形成される。このため、排水経路を流れる水の流れがボルト９０により阻害されることがない。さらに、排水経路にボルト用の孔が形成されないため、孔から漏水するおそれもない。
【００３３】
次に、図５（ｃ）及び５（ｄ）並び図６（ｂ）を参照して、第二採光部材６０及び６１の結合部について説明する。図６（ｂ）に示すように、第二採光部材６０及び６１の端部はそれぞれ垂直に折り曲げられて、凹状の形状を有する結合部材２４に収容される。第二採光部材６０及び６１の端部はそれぞれ、結合部材２４に収容されるので、第二採光部材６０及び６１の結合部分から漏水することはない。さらに、結合部材２４は、コーナーサポート４４に形成される切欠きに嵌合される。コーナーサポート４４に形成される切欠きは、結合部材２４を嵌合することが可能な形状及び大きさを有する。この切欠きが屋根の傾斜方向に直交するため、切欠きに嵌合される第二採光部材６０及び６１は、屋根の傾斜方向にずれるおそれはない。また、上述のように、第二採光部材６１は、樋部材２６の突起部２６ｈ及び２６ｉにより、屋根の傾斜方向に直交する樋部材２６の傾斜方向へのずれが防止されるため、樋部材２６の傾斜方向にずれるおそれもない。このため、本実施形態では、第二採光部材は、ボルト・ナットなどの固定具を用いて固定せず、コーナーサポート４３及び４４に載置しているだけにも関わらず、屋根の傾斜方向と平行な方向及び直交する方向のいずれの方向にもずれるおそれはなく、施工も容易である。さらに、第二採光部材６０及び６１の固定のために、ボルト・ナットを用いていないので、ボルト用の貫通孔を形成する必要がないため、ボルト用の貫通孔を介して漏水するおそれはない。
【００３４】
なお、図５（ａ）と、図５（ｂ）とを比較すると、図５（ａ）よりも図５（ｂ）の方が樋部材２６の第一排水経路２６ｂ及び第二排水経路２６ｃの位置が低くなる。樋部材２６の排水経路が傾斜を有するためである。同様に、第一排水経路２６ｂ及び第二排水経路２６ｃに近接して配置される第二採光部材６１も図５（ａ）よりも図５（ｂ）の方が、位置が低くなっている。
【００３５】
また、図５（ｃ）と、図５（ｄ）とを比較すると、排水経路の傾斜に従って第二採光部材６０及び６１の位置が低くなる。このため、第二採光部材６０及び６１の端部を収容する結合部材２４を嵌合する切欠きの高さ、及び第二採光部材６０及び６１を支持するコーナーサポート４３及び４４の支持部の高さは、図５（ｃ）に示されるコーナーサポート４３と、図５（ｄ）に示されるコーナーサポート４４とで互いに相違する。したがって、コーナーサポート４３及び４４は、互いに異なる部材にする必要がある。しかしながら、縦材、側面板およびサイドカバーなどのコーナーサポート４３及び４４以外の部材は、第二採光部材の両端で同一の部材を使用することができる。このため、本実施形態では、コーナーサポート４３及び４４以外の多くの部材を共通化することができる。
【００３６】
第二採光部材６０、６１及び６２の部材として、中空ハニカム構造を有するポリカーボネイト樹脂からなる複数の中空合成樹脂板が採用される。中空合成樹脂板を採用することにより、第二採光部材は、高い剛性と断熱性能を有することができ、さらに軽量化が可能になる。
【００３７】
以下、採光屋根１０の組み立て手順について図７〜図１７を参照して、順に説明する。
【００３８】
図７は、採光屋根の組み立て手順を説明するための第一の説明図であり、金属製の折板屋根１の一部を取り外して開口部９を形成した状態を示す。
【００３９】
金属性の折板屋根１は、屋根構造のもや２及び３上に固定された第一タイトフレーム６及び第二タイトフレーム７にビス等で固定される。第一及び第二タイトフレーム６及び７は、金属性の折板屋根１の凹凸形状に合致する凹凸形状を有している。なお、図１及び７など本実施形態を説明するために使用される図面では、金属性の折板屋根１は、１枚の板で構成されるが、実際には複数の板を組み合わせた構成となっている。
【００４０】
図８は、採光屋根の組み立て手順を説明するための第二の説明図であり、金属製の折板屋根１の開口部９上に、枠構造８を配置した状況を示す。
【００４１】
枠構造８は、屋根構造の水下側に配置された第一横枠１２及び水上側に配置された第二横枠１４と、それらの上に配置された第一縦枠１５及び第二縦枠１６と、第一横枠１２及び第二横枠１４の中間部に配置された第三横枠１３、第一横枠１２の更に水下側に配置されたカバー止め用横枠１１等から構成される。カバー止め用横枠１１、第一横枠１２、第三横枠１３及び第二横枠１４は、断面コの字状の鉄骨から構成され、第一縦枠１５及び第二縦枠１６は、断面Ｃの字状の鉄骨から構成される。
【００４２】
第一横枠１２はボルト（不図示）により第一タイトフレーム６に固定され、第二横枠１４はボルト（不図示）により第二タイトフレーム７に固定され、第一縦枠１５及び第二縦枠１６はボルト（不図示）によりそれぞれ第一横枠１２及び第二横枠１４と固定される。また、カバー止め用横枠１１はボルト（不図示）により第一縦枠１５及び第二縦枠１６に固定され、第三横枠１３はボルト（不図示）により第一縦枠１５及び第二縦枠１６に固定される。
【００４３】
第三横枠１３は、もや２及び３の中間部分で且つもやが存在しない箇所で金属性の折板屋根１とビス（不図示）により固定されている。したがって、第三横枠１３によって、その下方の金属性の折板屋根１の強度が補強される。
【００４４】
図９は、採光屋根の組み立て手順を説明するための第三の説明図であり、吹き込み防止板３０を取り付けた状況を示している。
【００４５】
図９に示すように、吹き込み防止板３０は、ビス３１によってカバー止め用横枠１１に取り付けられる。吹き込み防止板３０は、カバー止め用横枠１１の側面を覆うように側面側に折り曲げられている。さらに、吹き込み防止板３０は、カバー止め用横枠１１の水下側の面を覆うように水下側に折り曲げられる。
【００４６】
図１０は、採光屋根の組み立て手順を説明するための第四の説明図であり、側面板４０及び４１を取り付けた状況を示す。
【００４７】
側面板４０及び４１は、第一縦枠１５及び第二縦枠１６上に貼付されたブチルテープ又はシール材（不図示）及びビス（不図示）によって、第一縦枠１５及び第二縦枠１６に固定される。なお、側面板４０及び４１は金属性の折板屋根１の凹凸形状に合うように、それらの先端部４０Ａ及び４１Ａが折り曲げられている。
【００４８】
図１１は、採光屋根の組み立て手順を説明するための第五の説明図であり、コーナーサポート４３及び４４を取り付けた状況を示している。
【００４９】
図１１に示すように、コーナーサポート４３及び４４はそれぞれ、第一縦材１５及び第二縦材１６の上に配置される。コーナーサポート４３及び４４には、侵入水を採光屋根１０の外部に排水するための単数又は複数の排水孔４３ａ及び４４ａがそれぞれ形成される。コーナーサポート４３は、排水孔４３ａが第一縦材１５の外側に位置するように第一縦材１５に固定される。侵入水を排水孔４３ａから採光屋根１０の外部に排水するためである。同様に、コーナーサポート４４は、排水孔４４ａが第一縦材１５の外側に位置するように第一縦材１６に固定される。コーナーサポート４３及び４４は、ビス（不図示）によって、第一縦材１５及び第二縦材１６にそれぞれ固定される。
【００５０】
また、図５（ｃ）及び５（ｄ）を参照して説明したように、コーナーサポート４３及び４４にはそれぞれ、第二採光部材を固定するために単数又は複数の切欠きが形成される。本実施形態では、第二採光部材は３つの部材で構成されるので、コーナーサポート４３及び４４には、２つの切欠きがそれぞれ形成される。
【００５１】
図１２は、採光屋根の組み立て手順を説明するための第六の説明図であり、第二採光部材６０、６１及び６２を取り付けた状況を示す。
【００５２】
図１２に示すように、第二採光部材６０、６１及び６２は、コーナーサポート４３及び４４によって支持される。図５（ｃ）及び５（ｄ）を参照して説明したように、垂直に折り曲げられた端部を収容する結合部材２４を、コーナーサポート４３及び４４に形成される切欠きに嵌合することによって、第二採光部材６０、６１及び６２は、固定される。また、コーナーサポート４３に形成される切欠きよりも、コーナーサポート４４に形成される切欠きの方が低い位置にあるため、第二採光部材６０、６１及び６２は、コーナーサポート４３からコーナーサポート４４への方向に傾斜して配置される。第二採光部材６０、６１及び６２の傾斜方向は、第二採光部材６０、６１及び６２の採光面がそれぞれ樋部材２６の排水経路の傾斜方向に傾斜するように配置される。
【００５３】
第二採光部材６０、６１及び６２は、透光性樹脂（ポリカーボネイト）を押し出し成形によって形成したものであって、内壁によって仕切られた複数の中空部を含んでいる。本実施例では、第二採光部材６０、６１及び６２はそれぞれ１枚の板で構成されるが、複数の中空合成樹脂板を組み合わせて構成するようにしても良い。
【００５４】
図１３は、採光屋根の組み立て手順を説明するための第七の説明図であり、第一採光部材８０及び８１を取り付けた状況を示す。
【００５５】
図１３に示すように、第一採光部材８０及び８１は、第二採光部材６０、６１及び６２の上にそれぞれ配置される。図５（ａ）などを参照して先に説明したように、第一採光部材８０及び８１は、押し縁２８と樋部材２６とにボルト９０及びナット９１を介して挟持されることにより連結される。また、樋部材２６の両端に形成されるビス用孔２６ｄ及び２６ｅと、コーナーサポート４３及び４４の支持部にそれぞれ形成されるビス用孔とを位置合わせしてビス９５及び９６（図２参照のこと）で固定することにより、第一採光部材８０及び８１は、適当な位置に位置決めされる。第一採光部材８０及び８１を支持するコーナーサポート４３及び４４の支持部は、金属製の折板屋根１の傾斜方向と同一の傾斜を有するように配置される。このため、第一採光部材８０及び８１を連結する樋部材２６をコーナーサポート４３及び４４の支持部にそれぞれ配置することにより、樋部材２６の上面に配置される第一採光部材８０及び８１の採光面は、金属製の折板屋根１の傾斜と同一の傾斜を有することになる。
【００５６】
図１４は、採光屋根の組み立て手順を説明するための第八の説明図であり、サイドカバー４５及び４６を取り付けた状況を示す。
【００５７】
図１４（ａ）に示すように、サイドカバー４５及び４６は、コーナーサポート４３及び４４をそれぞれ覆うように配置され、図２に示すようにビス９７及び９８により固定される。また、サイドカバー４５及び４６それぞれは、第一採光部材８０及び８１の端部をコーナーサポート４３及び４４とともに挟持するように構成される。
【００５８】
図１４（ｂ）は、サイドカバー４６の側面図である。サイドカバー４６の側面部４６ａは、コーナーサポート４４の側面を覆い、サイドカバー４６の上面部４６ｂには、単数又は複数のビス孔（不図示）が形成されてビス９８によりコーナーサポート４４に結合される。また、サイドカバー４６の挟持部４６ｃは、コーナーサポート４４とともに第一採光部材８０及び８１の端部を挟持する。
【００５９】
図１５は、採光屋根の組み立て手順を説明するための第九の説明図であり、第一後板５０を取り付けた状況を示す。
【００６０】
第一後板５０は、サイドカバー４５及び４６の水上側の端部に接着材によって固定される。
【００６１】
図１６は、採光屋根の組み立て手順を説明するための第十の説明図であり、第二後板５１を取り付けた状況を示す。
【００６２】
第二後板５１は、第一縦枠１５及び第二縦枠１６上に貼付されたブチルテープ（不図示）及びビス（不図示）によって、第一縦枠１５及び第二縦枠１６に、第一後板の上側端面を覆うように固定される。第二後面５１によって、第一縦枠１５及び第二縦枠１６の水上側端部の水上側端部が覆われる。
【００６３】
図１７は、採光屋根の組み立て手順を説明するための第十一の説明図であり、水下カバー３５を取り付けた状況を示す。
【００６４】
図１７に示すように、水下カバー３５は、第一採光部材８１並びにサイドカバー４５及び４６を覆うように配置され、図１２に示した吹き込み防止板３０上に配置したコの字状の固定具（不図示）で固定される。これによって、第一採光部材８０及び８１の水下側端部が覆われる。このような構造を採用することによって、採光屋根１０の水下部が、吹き込み防止板３０、及び水下カバー３５によって２重に保護されていることが理解できる。
【００６５】
上記の採光屋根１０の例では、第二採光部材６０、６１及び６２として、３枚の中空合成樹脂板（例えば、５００ｍｍ×５０００ｍｍ）を利用した。しかしながら、使用される中空合成樹脂板の枚数は、３枚に限定されることなく、２枚又はさらに多くの枚数を利用することも可能である。同様に網入りガラスなどで構成される第一採光部材８０及び８１の枚数も２枚に限定されることはなく、さらに多くの枚数を利用することも可能である。また、上記の採光屋根１０の例では、採光屋根１０を金属製の折板屋根１上に配置したが、他の屋根構造にも適用することが可能である。
【００６６】
また、上記の採光屋根１０の例では、樋部材２６の第一排水経路２６ｂ及び第二排水経路部２６ｃは、一端から他端に一定の角度で傾斜する構造を有する。しかしながら、樋部材２６は、他の構造にしてもよい。例えば、単一の排水経路の両端にフランジを有するハット型の断面形状を有する構造としてもよい。この場合、第一採光部材８０及び８１を挟持するためのボルト９０を通すための孔は、排水経路上に形成される。また、第一排水経路２６ｂ及び第二排水経路部２６ｃの傾斜角は同一でなくてもよい。さらに、樋部材は、図１８に示すような構造を有してもよい。
【００６７】
図１８（ａ）は、他の例の樋部材２７の平面図であり、図１８（ｂ）は、図１８（ａ）に対応する側面図である。樋部材２７は、排水経路の形状が先に説明した樋部材２６と相違する。すなわち、樋部材２７は、長手方向の略中央部から両端に一定の角度で傾斜する山型の第一排水経路２７ｂ及び第二排水経路部２７ｃを有する。樋部材として図１８に示す樋部材２７を採用する場合、樋部材２７の下方に配置される第二採光部材は、樋部材２７の底面の形状と同様に中央部を頂点とした山型になるように形成されることが好ましい。
【００６８】
以上、図１〜１８を参照して、本発明に係る採光屋根の排水構造を説明してきたが、本発明に係る採光屋根の排水構造は、これらの具体的な記載に限定されるものではなく、各種の変形があり得るのはいうまでもない。
【００６９】
例えば、本明細書では、第一採光部材８０及び８１の採光面は、屋根１の傾斜と同一の傾斜を有するが、第一採光部材の採光面は、屋根１の傾斜と略同一の傾斜を有していればよい。すなわち、第一採光部材の採光面の傾斜は、屋根の開口部に配置される採光屋根が、屋根の傾斜とは異なる傾斜で配置されていると感じない程度、すなわち屋根と採光屋根が一体的に傾斜しているように見えるような程度、又は一体感を損なわない程度であれば、完全に同一の傾斜でなくてもよい。
【００７０】
また、本明細書では、第一採光部材８０及び８１の連結面は、屋根１の傾斜に直交するように配置されるが、第一採光部材の連結面は、屋根１の傾斜に略直交するように配置されればよい。すなわち、第一採光部材の連結面は、連結面が傾斜方向の下側から見たときに多少右下がり又は左下がりであっても、その連結面に沿って排水経路が右または左に向かって傾斜していればよい。このように、第一採光部材の連結面が、屋根１の傾斜に略直交するように配置される場合にも、本発明の効果を奏する。
【００７１】
また、本明細書では、樋部材２６の排水経路は、屋根１の傾斜方向に直交する方向に沿って傾斜するが、樋部材の排水経路は、屋根１の傾斜方向に略直交する方向に沿って傾斜すればよい。すなわち、樋部材の排水経路は、第一採光部材の連結面に沿って排水経路が形成されていれば本発明の効果を奏する。
【符号の説明】
【００７２】
１    金属製の折板屋根
２、３    もや
５    連結構造
６、７    タイトフレーム
８    枠構造
１０    採光屋根
１２    第一横枠
１３    第三横枠
１４    第二横枠
１５    第一縦枠
１６    第二縦枠
２０〜２２    ボルト受け支持部材
２６、２７    樋部材
２８    押し縁
６０、６１、６２    第二採光部材
８０、８１    第一採光部材
９０−１、９０−２    ボルト
９１−１、９１−２    ナット
【図１】
0005896656.tif 000002
【図２】
0005896656.tif 000003
【図３】
0005896656.tif 000004
【図４】
0005896656.tif 000005
【図５】
0005896656.tif 000006
【図６（ａ）】
0005896656.tif 000007
【図６（ｂ）】
0005896656.tif 000008
【図７】
0005896656.tif 000009
【図８】
0005896656.tif 000010
【図９】
0005896656.tif 000011
【図１０】
0005896656.tif 000012
【図１１】
0005896656.tif 000013
【図１２】
0005896656.tif 000014
【図１３】
0005896656.tif 000015
【図１４】
0005896656.tif 000016
【図１５】
0005896656.tif 000017
【図１６】
0005896656.tif 000018
【図１７】
0005896656.tif 000019
【図１８】
0005896656.tif 000020